【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
複数の発光部が一列又は複数列の点線状に配列された露光ヘッドと、この露光ヘッドを保持する露光ヘッド保持部材と、を有する露光ユニットを組み立てる露光ユニット組立方法において、露光ヘッドの発光部を発光させ、露光ヘッドの発光部の発光を複数箇所で撮像し、発光部の発光の撮影画像を画面に表示し、発光部の撮影画像のピントが合うようにピント位置調整手段により露光ヘッドのピント位置を調整することを特徴とする露光ユニット組立方法。
【請求項２】
複数の発光部が一列又は複数列の点線状に配列された露光ヘッドと、この露光ヘッドを保持する露光ヘッド保持部材と、を有する露光ユニットを組み立てる露光ユニット組立方法において、露光ヘッドの発光部を発光させ、露光ヘッドの複数箇所の発光する発光部を撮像し、複数箇所で撮像された複数の撮影画像を並べて画面に表示し、複数の表示された撮影画面上の発光部の位置が直線状に並ぶように平行位置調整手段により露光ヘッドの平行位置を調整することを特徴とする露光ユニット組立方法。
【請求項３】
複数の発光部が一列又は複数列の点線状に配列された露光ヘッドと、この露光ヘッドを保持する露光ヘッド保持部材と、を有する露光ユニットを組み立てる露光ユニット組立方法において、露光ヘッドの発光部を発光させ、露光ヘッドの発光する発光部のピント位置を光学的に検知し、発光部のピント位置を数値化して表示し、この数値化した表示を基準に一致または近似させるようにピント位置調整手段により露光ヘッドのピント位置を調整することを特徴とする露光ユニット組立方法。
【請求項４】
複数の発光部が一列又は複数列の点線状に配列された露光ヘッドと、この露光ヘッドを保持する露光ヘッド保持部材と、を有する露光ユニットを組み立てる露光ユニット組立方法において、露光ヘッドの発光部を発光させ、露光ヘッドの発光する発光部の位置を光学的に検知し、発光部の位置を数値化して表示し、この数値化した表示を基準に一致または近似させるように平行位置調整手段により露光ヘッドの平行位置を調整することを特徴とする露光ユニット組立方法。
【請求項５】
複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドのピント位置を調整するピント位置調整手段と、露光ヘッドの発光部を発光させる発光駆動手段と、露光ヘッドの発光部の発光を複数箇所で撮像する撮像手段と、発光部の発光の撮影画像を画面に表示する表示手段とを備え、前記発光部の撮影画像のピントが合うように前記ピント位置調整手段により前記露光ヘッドのピント位置を調整可能に構成したことを特徴とする露光ユニット組立装置。
【請求項６】
複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドの平行位置を調整する平行位置調整手段と、露光ヘッドの発光部を発光させる発光駆動手段と、露光ヘッドの複数箇所の発光する発光部を撮像する撮像手段と、複数箇所で撮像された複数の撮影画像を並べて画面表示可能な表示手段とを備え、複数の表示された撮影画面上の発光部の位置が直線状に並ぶように前記平行位置調整手段により前記露光ヘッドの平行位置を調整可能に構成したことを特徴とする露光ユニット組立装置。
【請求項７】
複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドのピント位置を調整するピント位置調整手段と、露光ヘッドの平行位置を調整する平行位置調整手段と、露光ヘッドの発光部を発光させる発光駆動手段と、露光ヘッドの発光部の発光を複数箇所で撮像する撮像手段と、複数箇所で撮像された複数の撮影画像を並べて画面表示可能な表示手段とを備え、前記発光部の撮影画像のピントが合うように前記ピント位置調整手段により前記露光ヘッドのピント位置を調整可能であると共に、前記複数の表示された撮影画面上の発光部の位置が直線状に並ぶように前記平行位置調整手段により前記露光ヘッドの平行位置を調整可能に構成したことを特徴とする露光ユニット組立装置。
【請求項８】
前記撮像手段が電子カメラであり、この電子カメラを前記露光ヘッドの発光部を覆う前記ガラス板に密着させ、このガラス板と電子カメラの接触面に前記露光ヘッドの発光部の結像位置がくるように前記露光ヘッドの位置、又は前記ガラス板の位置を調整することによって露光ヘッドのピント位置調整を行うことを特徴とする請求項５または請求項７に記載の露光ユニット組立装置。
【請求項９】
前記撮像手段が電子カメラであり、この電子カメラは、撮像素子の受光側に光ファイバープレートを有し、この光ファイバープレートを前記ガラス板に密着させたことを特徴とする請求項５乃至請求項８に記載の露光ユニット組立装置。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
請求項５記載の発明は、『複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドのピント位置を調整するピント位置調整手段と、露光ヘッドの発光部を発光させる発光駆動手段と、露光ヘッドの発光部の発光を複数箇所で撮像する撮像手段と、発光部の発光の撮影画像を画面に表示する表示手段とを備え、前記発光部の撮影画像のピントが合うように前記ピント位置調整手段により前記露光ヘッドのピント位置を調整可能に構成したことを特徴とする露光ユニット組立装置。』である。


【手続補正５】
【補正対象書類名】明細書
【補正対象項目名】００１９
【補正方法】変更
【補正の内容】
【００１９】
この請求項５記載の発明によれば、発光部の撮影画像のピントが合うように露光ヘッドのピント位置を調整することで、短時間で容易に露光ヘッドのピント位置調整を行うことができ、露光ヘッドのピントの精度を向上させ、露光ヘッドを露光ヘッド保持部材に保持させることができる。


【手続補正６】
【補正対象書類名】明細書
【補正対象項目名】００２０
【補正方法】変更
【補正の内容】
【００２０】
請求項６記載の発明は、『複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドの平行位置を調整する平行位置調整手段と、露光ヘッドの発光部を発光させる発光駆動手段と、露光ヘッドの複数箇所の発光する発光部を撮像する撮像手段と、複数箇所で撮像された複数の撮影画像を並べて画面表示可能な表示手段とを備え、複数の表示された撮影画面上の発光部の位置が直線状に並ぶように前記平行位置調整手段により前記露光ヘッドの平行位置を調整可能に構成したことを特徴とする露光ユニット組立装置。』である。


【手続補正７】
【補正対象書類名】明細書
【補正対象項目名】００２１
【補正方法】変更
【補正の内容】
【００２１】
この請求項６記載の発明によれば、複数箇所で撮像された複数の撮影画像を並べて画面に表示し、複数の表示された撮影画面上の発光部の位置が直線状に並ぶように露光ヘッドの平行位置を調整することで、短時間で容易に露光ヘッドの平行度位置調整を行うことができ、露光ヘッドの平行度の精度を向上させ、露光ヘッドを露光ヘッド保持部材に保持させることができる。


【手続補正８】
【補正対象書類名】明細書
【補正対象項目名】００２２
【補正方法】変更
【補正の内容】
【００２２】
請求項７記載の発明は、『複数の発光部が一列又は複数列の点線状に配列された露光ヘッドと、この露光ヘッドを保持する露光ヘッド保持部材と、を有する露光ユニットを組み立てる露光ユニット組立装置において、露光ヘッドのピント位置を調整するピント位置調整手段と、露光ヘッドの平行位置を調整する平行位置調整手段と、露光ヘッドの発光部を発光させる発光駆動手段と、露光ヘッドの発光部の発光を複数箇所で撮像する撮像手段と、複数箇所で撮像された複数の撮影画像を並べて画面表示可能な表示手段とを備え、前記発光部の撮影画像のピントが合うように前記ピント位置調整手段により前記露光ヘッドのピント位置を調整可能であると共に、前記複数の表示された撮影画面上の発光部の位置が直線状に並ぶように前記平行位置調整手段により前記露光ヘッドの平行位置を調整可能に構成したことを特徴とする露光ユニット組立装置。』である。


【手続補正９】
【補正対象書類名】明細書
【補正対象項目名】００２３
【補正方法】変更
【補正の内容】
【００２３】
この請求項７記載の発明によれば、複数箇所で撮像された複数の撮影画像を並べて画面に表示し、発光部の撮影画像のピントが合うように露光ヘッドのピント位置を調整し、その後複数の表示された撮影画面上の発光部の位置が直線状に並ぶように露光ヘッドの平行位置を調整することで、短時間で容易に露光ヘッドの位置調整を行うことができ、露光ヘッドのピント、平行度の精度を向上させ、露光ヘッドを露光ヘッド保持部材に保持させることができる。


【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】変更
【補正の内容】
【００３０】
請求項８記載の発明は、『前記撮像手段が電子カメラであり、この電子カメラを前記露光ヘッドの発光部を覆う前記ガラス板に密着させ、このガラス板と電子カメラの接触面に前記露光ヘッドの発光部の結像位置がくるように前記露光ヘッドの位置、又は前記ガラス板の位置を調整することによって露光ヘッドのピント位置調整を行うことを特徴とする請求項５または請求項７に記載の露光ユニット組立装置。』である。


【手続補正１７】
【補正対象書類名】明細書
【補正対象項目名】００３１
【補正方法】変更
【補正の内容】
【００３１】
この請求項８記載の発明によれば、露光ヘッドの位置、又はガラス板の位置を調整することによって露光ヘッドのピント位置調整を簡単かつ確実に行うことができる。


【手続補正１８】
【補正対象書類名】明細書
【補正対象項目名】００３２
【補正方法】変更
【補正の内容】
【００３２】
請求項９記載の発明は、『前記撮像手段が電子カメラであり、この電子カメラは、撮像素子の受光側に光ファイバープレートを有し、この光ファイバープレートを前記ガラス板に密着させたことを特徴とする請求項５乃至請求項９に記載の露光ユニット組立装置。』である。


【手続補正１９】
【補正対象書類名】明細書
【補正対象項目名】００３３
【補正方法】変更
【補正の内容】
【００３３】
この請求項９記載の発明によれば、光ファイバープレートにより撮像素子を保護しつつ、光ファイバープレートの一端の像がそのまま他端にある撮像素子に導かれるので、光ファイバープレートの一端を結像面とすればよいので、露光ヘッドに当たる問題も生じない。


【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００７６
【補正方法】変更
【補正の内容】
【００７６】
調整カム１５２，１５７は、図１３に示すように形成され、上面に凹凸を設けて容易に回動できるようにしている。


【手続補正３１】
【補正対象書類名】明細書
【補正対象項目名】００８０
【補正方法】変更
【補正の内容】
【００８０】
露光ユニット組立装置は、露光ヘッドのピント位置を調整するピント位置調整手段Ａと、露光ヘッドの平行位置を調整する平行位置調整手段Ｂと、露光ヘッドの発光部を発光させる発光駆動手段Ｃと、露光ヘッドの発光部の発光を複数箇所で撮像する撮像手段Ｄと、複数箇所で撮像された複数の撮影画像を並べて画面表示可能な表示手段Ｅとを備えている。そして、発光部の撮影画像のピントが合うようにピント位置調整手段Ａにより露光ヘッドのピント位置を調整可能であると共に、複数の表示された撮影画面上の発光部の位置が直線状に並ぶように平行位置調整手段Ｂにより露光ヘッドの平行位置を調整可能に構成している。


【手続補正３２】
【補正対象書類名】明細書
【補正対象項目名】００８４
【補正方法】変更
【補正の内容】
【００８４】
表示手段Ｅは、図１５に示すように表示される。即ち、図１５（ａ）に示すように露光ヘッドに対して左側のＣＣＤと右側のＣＣＤがそれぞれ配置され、この左側のＣＣＤと右側のＣＣＤから得られる撮影画像が、図１５（ｂ）及び図１５（ｃ）に示すように表示される。


【手続補正３３】
【補正対象書類名】明細書
【補正対象項目名】００８６
【補正方法】変更
【補正の内容】
【００８６】
図１５（ｂ）の表示では、左側のＣＣＤと右側のＣＣＤに対応して左右に分割されて撮像画面が表示され、撮影画面上の発光部の位置が左右の表示が幅Ｗだけずれている場合には、撮影画面上の発光部の位置が直線状に並ぶように平行位置調整手段Ｂにより露光ヘッドの平行位置を調整する。


【手続補正３４】
【補正対象書類名】明細書
【補正対象項目名】０１０３
【補正方法】削除
【補正の内容】
【手続補正３５】
【補正対象書類名】明細書
【補正対象項目名】０１０４
【補正方法】変更
【補正の内容】
【０１０４】
請求項５記載の発明では、発光部の撮影画像のピントが合うように露光ヘッドのピント位置を調整することで、短時間で容易に露光ヘッドのピント位置調整を行うことができ、露光ヘッドのピントの精度を向上させ、露光ヘッドを露光ヘッド保持部材に保持させることができる。


【手続補正３６】
【補正対象書類名】明細書
【補正対象項目名】０１０５
【補正方法】変更
【補正の内容】
【０１０５】
請求項６記載の発明では、複数箇所で撮像された複数の撮影画像を並べて画面表示し、複数の表示された撮影画面上の発光部の位置が直線状に並ぶように露光ヘッドの平行位置を調整することで、短時間で容易に露光ヘッドの平行度位置調整を行うことができ、露光ヘッドの平行度の精度を向上させ、露光ヘッドを露光ヘッド保持部材に保持させることができる。


【手続補正３７】
【補正対象書類名】明細書
【補正対象項目名】０１０６
【補正方法】変更
【補正の内容】
【０１０６】
請求項７記載の発明では、発光部の位置を数値化して表示し、この数値化した表示を基準に一致または近似させるように露光ヘッドの平行位置を調整することで、短時間で容易に露光ヘッドの平行度位置調整を行うことができ、露光ヘッドの平行度の精度を向上させ、露光ヘッドを露光ヘッド保持部材に保持させることができる。


【手続補正３８】
【補正対象書類名】明細書
【補正対象項目名】０１０７
【補正方法】削除
【補正の内容】
【手続補正３９】
【補正対象書類名】明細書
【補正対象項目名】０１０８
【補正方法】削除
【補正の内容】
【手続補正４０】
【補正対象書類名】明細書
【補正対象項目名】０１０９
【補正方法】削除
【補正の内容】
【手続補正４１】
【補正対象書類名】明細書
【補正対象項目名】０１１０
【補正方法】変更
【補正の内容】
【０１１０】
請求項８記載の発明では、露光ヘッドの位置、又はガラス板の位置を調整することによって露光ヘッドのピント位置調整を簡単かつ確実に行うことができる。


【手続補正４２】
【補正対象書類名】明細書
【補正対象項目名】０１１１
【補正方法】変更
【補正の内容】
【０１１１】
請求項９記載の発明では、光ファイバープレートにより撮像素子を保護しつつ、光ファイバープレートの一端の像がそのまま他端にある撮像素子に導かれるので、光ファイバープレートの一端を結像面とすればよいので、露光ヘッドに当たる問題も生じない。


【手続補正４３】
【補正対象書類名】明細書
【補正対象項目名】０１１２
【補正方法】削除
【補正の内容】
【手続補正４４】
【補正対象書類名】明細書
【補正対象項目名】０１１３
【補正方法】削除
【補正の内容】
【手続補正４５】
【補正対象書類名】明細書
【補正対象項目名】０１１４
【補正方法】削除
【補正の内容】
【手続補正４６】
【補正対象書類名】明細書
【補正対象項目名】０１１５
【補正方法】削除
【補正の内容】
【手続補正４７】
【補正対象書類名】明細書
【補正対象項目名】０１１６
【補正方法】削除
【補正の内容】
【手続補正４８】
【補正対象書類名】図面
【補正対象項目名】図１４
【補正方法】変更
【補正の内容】
【図１４】
1999223884.tif 000001
【手続補正４９】
【補正対象書類名】図面
【補正対象項目名】図１５
【補正方法】変更
【補正の内容】
【図１５】
1999223884.tif 000002
【手続補正５０】
【補正対象書類名】図面
【補正対象項目名】図１８
【補正方法】変更
【補正の内容】
【図１８】
1999223884.tif 000003